(57)【要約】      （修正有）【課題】本発明は鋼製枠組みを用いた枠組壁工法による住宅用構造物などに好適な、耐力壁の構造を提供する。【解決手段】軽量形鋼により構成された枠組2a,2bと、前記枠組に接合具5を用いて取り付けられる面板3と、前記面板3の上下方向の端部の横幅方向全長に、前記接合具5の外側から取付けられる押さえ木4a,4bを有し、前記押さえ木4a,4bは、前記面板3を螺通して前記枠組に接合具5を用いて螺着させ、面板３膨出による、面板3と枠組の接合部に対する引き抜き方向の力の発生を防止し、耐力壁１の変形性能を向上させる。【選択図】図１
2006177081.tif 000002
【特許請求の範囲】
【請求項１】
軽量形鋼により構成された枠組と、
前記枠組に接合具を用いて取り付けられる面板と、
前記面板の上下端部の横幅方向全長に、前記接合具の外側から取付けられる押さえ木を有し、
前記押さえ木は、前記面板を螺通して前記枠組に接合具を用いて螺着されることを特徴とする耐力壁。
【発明の詳細な説明】
【技術分野】
【０００１】
本発明は、耐力壁の構造に関し、鋼製枠組みを用いた枠組壁工法による住宅用構造物などに好適なものに関する。
【背景技術】
【０００２】
鋼製枠体に面板を貼り付け、構造耐力を確保する耐力壁は、スチールハウス工法で住宅用構造物などを建築する際に用いる。スチールハウス工法は適用される個所が拡大しつつあり、種々の観点からの性能向上が要望されている。
【０００３】
例えば、特許文献１は、面板の変形を防止する耐力壁構造に関し、面板を枠組に取り付けるファスナーにより面板が変形したり、ファスナー側面部が面板に食い込むことによる変形を防止するため、そのフランジで面板を挟み込む断面Ｃ字状の鋼製外縁を面板周縁部に配置した面板を提案している。
【０００４】
一般的に、耐力壁において枠組みに取り付けられる面板は、耐力壁構造の建築物に地震時や強風時に水平力が作用した場合の抵抗構造要素となるが、水平力により枠組から面板が剥がれやすく、十分な耐力が得られない。
【０００５】
図７は耐力壁構造の建築物１００に水平力が作用した場合の耐力壁１１０の変形挙動を模式的に示す図で、耐力壁１１０は鋼製の枠組１１３に、面板１１１をファスナー１１２により取り付けて構成されるが、水平力が作用すると面板１１１は対角線方向に膨出し、ひずみが集中する対角部において枠組１１３から剥がれようとする。
【０００６】
図８は対角部の詳細図で、面板１１１は枠組１１３から剥がれようとするが、枠組１１３に螺着したファスナー１１２は容易に抜け落ちず、その頭部が面板１１１に喰い込むようになり、最後には面板１１１を貫通する。
【０００７】
このような現象は、特に面材の負担荷重が大きい高耐力の耐力壁の場合に顕著で、終局時には頭抜けによる急激が耐力低下が生じる。  
【特許文献１】特開２００２−２８５６５９号公報
【発明の開示】
【発明が解決しようとする課題】
【０００８】
壁耐力を向上させる方法として接合具の本数を増加させることが一般的であるが、耐力の増加とともに面板の負担が大きくなるため、壁の変形能力を低下させる恐れがある。
【０００９】
特許文献１記載の構造は、面板を鋼製外縁にはめ込み、その後枠組に取り付けるなど施工性に劣るため、より簡単な構造で壁耐力の向上が可能な耐力壁が要望されている。
【００１０】
本発明は、製造が容易で壁耐力に優れる耐力壁を提供することを目的とする。  
【課題を解決するための手段】
【００１１】
本発明は、以下の手段により課題を達成する。
１  軽量形鋼により構成された枠組と、
前記枠組に接合具を用いて取り付けられる面板と、
前記面板の上下端部の横幅方向全長に、前記接合具の外側から取付けられる押さえ木を有し、
前記押さえ木は、前記面板を螺通して前記枠組に接合具を用いて螺着されることを特徴とする耐力壁。
【発明の効果】
【００１２】
本発明によれば、簡単な構造により壁耐力に優れる耐力壁が得られるので、建設費用を低減し、安全性を向上させることが可能となる。
【発明を実施するための最良の形態】
【００１３】
本発明に係る耐力壁は、枠組に取り付けた面板の、更にその上に、矩形状部材を面板と枠組の両者に接合具で螺着するように取り付けることを特徴とする。
【００１４】
図１は本発明の一実施例に係る耐力壁の平面図を示し、図において１は耐力壁、２ａは耐力壁１の、軽量形鋼からなる上（下）枠、２ｂは上（下）枠２ａをつなぐ、軽量形鋼からなる縦枠、３は面板、４ａ、４ｂは矩形状部材からなる押さえ木、５は接合具を示す。
図２に図１に示す耐力壁１における押さえ木の取り付け状況を部分断面図で示す。耐力壁１は、軽量形鋼からなる上（下）枠２ａと上（下）枠２ａをつなぐ軽量形鋼からなる縦枠２ｂと面板３と押さえ木４ａ、４ｂを有し、上（下）枠２ａの開口側から上下枠２ａの開口部に縦枠２ｂの端部を差込み、鋼製のネジなどの接合具５を用いて両者を螺着して、枠組構造とした後、鋼製のネジなどの接合具５により面板３を螺着する。
【００１５】
更に、面板３の垂直方向の上下端部に、押さえ木４ａ、４ｂを面板３の外側上方から配置し、押さえ木４ａ、４ｂは接合具５により面板３を螺通して枠組構造に螺着させる。この際、押さえ木４ａ、４ｂは、面板３を枠組２に螺着している接合具５を上方から押さえるように面板３の上から取り付ける。
【００１６】
押さえ木４ａ、４ｂの取り付けに使用する接合具５の本数および取り付け位置は特に規定しないが、面板３の横幅方向の左右両端部の近傍と、横幅方向の中間部で、縦枠２ｂと上（下）枠２ａの結節部とすることが好ましい。
【００１７】
また、押さえ木は厚みを有し、平面形状が矩形状の部材で、矩形の幅は面板３を枠組２に螺着する接合具５の取り付け部を覆い、板厚は面板の板厚以上、矩形の長さは面板の横幅方向全長と同じとする。図３に本発明に係る耐力壁の構造を斜視図で示す。
【００１８】
上述した構造の耐力壁１は、耐力壁１に水平力が作用して、面板３が膨出しようとすると、押さえ木４ａ、４ｂが枠組２に螺着しているため、面板３の膨出を拘束する。その結果、面板３の膨出による、面板３と枠組２の接合部に対する引き抜き方向の力の発生が防止され、耐力壁１の変形性能が向上する。
【００１９】
壁体に水平力を負荷する面内せん断実験を行い、壁体の変形能力を、面板の膨出により壁体から面板の一部が剥離するまでの最大せん断変形角により評価した。
【００２０】
図５に、試験装置を示す。試験装置６は耐力壁１に油圧ジャッキ８で水平荷重を負荷し、耐力壁１の面外変形は面外振れ止め門型フレーム７ａ、７ｂにより防止する。試験の際は、試験装置６や耐力壁１に変位計ａ〜ｈを取り付けて、水平荷重とせん断変形角の関係を求める。
【００２１】
上述した試験装置を用い、本発明に係る耐力壁と、従来例について水平荷重とせん断変形角の関係を求めた。従来例は本発明に係る耐力壁から押さえ板を省略したものでその他の構造は同じとした。
【００２２】
図６に試験結果を示す。本発明に係る耐力壁は従来例と比較すると水平力に対する変形能力に優れることが確認された。
【００２３】
住宅用構造物などを枠組壁工法で建築する際に、本発明に係る耐力壁を用いると地震などの水平力に対する耐力壁の変形性能が向上し、安全性が向上する。
【００２４】
図４はスチールハウスの外壁構造の耐力壁として本発明に係る耐力壁を適用した例を示し、外壁構造９において、軽量形鋼からなる上（下）枠１１ａ（２ａ）、縦枠１１ｂ（２ｂ）には建物の内側となる部分にせっこうボード１０が取り付けられ、建物の外側となる部分には構造用合板１２がねじ等の接合具により螺着される。
【００２５】
更にその上には防湿フィルム１３、断熱材２０、防水紙１４などがその順番で家屋の外側に向けて重ねて取り付けられ、断熱材２０を支持させるため外装下地材１７を構造用合板１２の上から螺着する。
【００２６】
外装下地材１７は、上述した押さえ木４ａ、４ｂとして機能させるので、耐力壁の上端、下端となる位置に配置する。
【００２７】
防水紙１４の上に間隔を設けて通気用胴縁１５を複数本配置し、窯業系サイディング１６を外壁として取り付ける。連続して配置する窯業系サイディング１６の継ぎ目にはシーリング材１９を用い、下枠となる軽量形鋼１１ｂと窯業系サイディング１６の間には水きり材１８を取り付ける。
【図面の簡単な説明】
【００２８】
【図１】本発明の一実施例を示す図。
【図２】図１の部分拡大図。
【図３】図１に示した本発明の一実施例の斜視図。
【図４】本発明を適用したスチールハウスの壁構造を説明する図。
【図５】試験装置を説明する図。
【図６】本発明に係る耐力壁の効果を示す図。
【図７】従来例。
【図８】従来例。
【符号の説明】
【００２９】
１              耐力壁
２ａ、１１ａ    上（下）枠
２ｂ、１１ｂ    縦枠
３              面板
４ａ、４ｂ      押さえ木
５              接合具
６              試験装置
７ａ、７ｂ      面外振れ止め門型フレーム
８              油圧ジャッキ
ａ〜ｈ          変位計
９              外壁構造
１０            せっこうボード
１２            構造用合板
１３            防湿フィルム
１４            防水紙
１５            通気用胴縁
１６            窯業系サイディング
１７            外装下地材
１８            水きり材
１９            シーリング材
２０            断熱材
【図１】
2006177081.tif 000003
【図２】
2006177081.tif 000004
【図３】
2006177081.tif 000005
【図４】
2006177081.tif 000006
【図５】
2006177081.tif 000007
【図６】
2006177081.tif 000008
【図７】
2006177081.tif 000009
【図８】
2006177081.tif 000010